(57)【要約】      （修正有）【課題】流体容器と連結するためのアダプタの提供。【解決手段】流体容器と連結するためのアダプタ１０は、遠位端部、近位端部、およびこれらの間に延びる概ね円筒形の側壁２２とを有する外側のハウジング１６と、ハウジング１６内に回転可能に挿入された本体、および、アダプタ１０を流体容器に連結するように構成された、本体から延びるコネクタとを備える内側部材２８と、内側部材２８の本体と係合可能な第１のロッキング装置であって、第１の方向で前記ハウジング１６に対して前記内側部材２８が回転するのを制限するように構成された第１のロッキング装置と、内側部材の本体と係合可能な第２のロッキング装置であって、第１の方向と第２の方向との両方で前記ハウジング１６に対して内側部材２８が回転するのを制限するように構成された第２のロッキング装置と、を含む。【選択図】図１２
2018161506.tif 000002
【特許請求の範囲】
【請求項１】
流体容器と連結するためのアダプタであって、
遠位端部と、近位端部と、これらの間に延びる円筒形の側壁とを有する外側ハウジングと、
該外側ハウジング内に回転可能に挿入された本体と、前記アダプタを流体容器に連結するように構成された、前記本体から延びるコネクタとを備える内側部材であって、前記内側部材が前記外側ハウジングに対して回転するのを防止するために係合されるように構成された取外しインターフェイスを画定する内側部材と、
該内側部材の本体と係合可能な第１のロッキング装置であって、第１の方向で前記外側ハウジングに対して前記内側部材が回転するのを制限するように構成された第１のロッキング装置と、
前記内側部材の前記本体と係合可能な第２のロッキング装置であって、前記第１の方向と第２の方向との両方で前記外側ハウジングに対して前記内側部材が回転するのを制限するように構成された第２のロッキング装置と、
を備え、前記アダプタは、前記第１のロッキング装置および前記第２のロッキング装置が前記内側部材と係合されていない係合解除された状態と、前記第１のロッキング装置が前記内側部材に係合している部分的に係合された状態と、前記第２のロッキング装置が内側部材に係合している完全に係合された状態との間を移行可能であることを特徴とするアダプタ。
【請求項２】
前記取外しインターフェイスはツールと係合する表面を備えることを特徴とする請求項１に記載のアダプタ。
【請求項３】
前記ツールと係合する表面は対向する平坦部を備えることを特徴とする請求項２に記載のアダプタ。
【請求項４】
前記前記ツールと係合する表面は、少なくとも１つの孔を備えることを特徴とする請求項２に記載のアダプタ。
【請求項５】
前記取外しインターフェイスは、把持表面を画定する少なくとも１つのウイングを備えることを特徴とする請求項１に記載のアダプタ。
【請求項６】
前記コネクタが係合解除された状態にあるとき、前記内側部材は、前記第１の方向と前記第２の方向との両方で回転可能であることを特徴とする請求項１に記載のアダプタ。
【請求項７】
圧縮力を前記内側部材に加えることによって、前記内側部材は、延長位置から引込んだ位置に移行可能であることを特徴とする請求項１に記載のアダプタ。
【請求項８】
前記内側部材を延長位置に維持する付勢部材をさらに備えることを特徴とする請求項７に記載のアダプタ。
【請求項９】
前記第１のロッキング装置は、前記外側ハウジングの前記側壁の内表面から内方へ延びる少なくとも１つの突起部と、前記側壁上の前記突起部に係合するように構成された、前記内側部材の前記本体上の対応する突起部とを備えることを特徴とする請求項７に記載のアダプタ。
【請求項１０】
前記少なくとも１つの突起部は、前記外側ハウジングの前記側壁の内表面から内方へ延び、前記内側部材の前記本体上の前記対応する突起部は、斜面および実質的に垂直の面を備える一方向ラチェットであることを特徴とする請求項９に記載のアダプタ。
【請求項１１】
前記第１のロッキング装置は、前記外側ハウジングの前記側壁の対向周側面に配置された少なくとも２つの突起部と、前記内側部材の前記本体から延びる少なくとも２つの対応する突起部とを備えることを特徴とする請求項１に記載のアダプタ。
【請求項１２】
前記第２のロッキング装置は、前記外側ハウジングの前記側壁の一部分に連結され、前記内側部材の一部分に選択的に係合するように構成された少なくとも１つの内方へ延びるタブを備えることを特徴とする請求項１に記載のアダプタ。
【請求項１３】
前記第２のロッキング装置は、前記外側ハウジングの側壁の対向する側に位置する、少なくとも２つの内方に延びるタブを備えることを特徴とする請求項１に記載のアダプタ。
【請求項１４】
前記少なくとも１つのタブは、押圧面であって、圧縮力を前記押圧面に加えることが前記タブを内方へ付勢して前記内側部材の一部分に係合させるように構成された押圧面を備えることを特徴とする請求項１３に記載のアダプタ。
【請求項１５】
前記コネクタは、前記流体容器の一部分の内表面上の対応するねじ山に係合するように構成されたらせん状ねじ山を有する外表面を備えることを特徴とする請求項１に記載のアダプタ。
【請求項１６】
前記コネクタは、前記流体容器の対応するルアーコネクタを受容するように構成されたルアーコネクタであることを特徴とする請求項１５に記載のアダプタ。
【請求項１７】
シリンジアダプタアッセンブリであって、
シリンジアダプタが、
遠位端部と、近位端部と、これらの間に延びる円筒形の側壁とを有する外側ハウジングと、
該外側ハウジング内に回転可能に挿入された本体と、前記アダプタを流体容器に連結するように構成された、前記本体から延びるコネクタとを備え、取外しインターフェイスを画定する内側部材と、
該内側部材の本体と係合可能な第１のロッキング装置であって、第１の方向で前記外側ハウジングに対して前記内側部材が回転するのを制限するように構成された第１のロッキング装置と、
前記内側部材の前記本体と係合可能な第２のロッキング装置であって、前記第１の方向と第２の方向との両方で前記外側ハウジングに対して前記内側部材が回転するのを制限するように構成された第２のロッキング装置と、
を備えるシリンジアダプタであって、前記アダプタは、前記第１のロッキング装置および前記第２のロッキング装置が前記内側部材と係合されていない係合解除された状態と、前記第１のロッキング装置が前記内側部材に係合している部分的に係合された状態と、前記第２のロッキング装置が内側部材に係合している完全に係合された状態との間を移行可能であることを特徴とするアダプタと、
前記内側部材が前記外側ハウジングに対して回転するのを防止するために係合されるように構成された取外しツールと、
を備えることを特徴とするシリンジアダプタアッセンブリ。
【請求項１８】
前記取外しインターフェイスは対向する平坦部を備え、前記取外しツールは前記対向する平坦部に接触するように構成されたＵ字型ジョーを備えることを特徴とする請求項１７に記載のアッセンブリ。
【請求項１９】
前記ツールと係合する表面は一対の孔を備え、前記取外しツールは柄と一対の脚部を備え、前記一対の脚部はそれぞれ前記一対の孔に受容されるように構成されていることを特徴とする請求項１７に記載のアッセンブリ。
【発明の詳細な説明】
【技術分野】
【０００１】
本発明は、アダプタを介して第１の流体容器から第２の流体容器への流体送達を可能にする閉鎖系移送アセンブリのためのアダプタに関する。より具体的には、本発明は、流体容器に対してアダプタを係合および係合解除するための連結装置を有するアダプタに関する。
【背景技術】
【０００２】
薬剤師や看護師などの医療従事者は、薬物製剤、薬物投与、および他の類似の処理の間に空気中に逃げ得る薬物または溶媒に繰り返し暴露されると、急性および長期の健康リスクを受ける可能性がある。この問題は、細胞毒素、抗ウイルス薬、抗生物質、および放射性医薬品が関係するときに特に深刻である。これらの薬物への暴露によって直面する健康リスクは、癌の発生、生殖問題、遺伝性疾患、および他の重大な懸念を含み得る。他の危険な領域は、ウイルス感染などに関する試料などの試料採取であり得る。輸液を行うとき、薬物または他の医療物質を、輸液バッグまたは他の輸液流体容器の内側の輸液流体中に注入することがしばしば必要である。これは、しばしば、輸液バッグ上または輸液流体ライン上の注入ポートのセプタムまたは他の流体バリアを、対象の医療流体で満たされたシリンジの針で貫通することによって行われる。しかしながら、これより前であっても、医療流体をバイアルからシリンジに、次いでシリンジから第２の容器に移送することが必要なことがある。これらのステップのそれぞれで、スタッフは汚染によって医療流体に暴露され得る。そのような汚染は、空気中の蒸発した医療流体または煙霧質であり得る。汚染物質は、スタッフの肺を通して、または皮膚上に凝縮した後にスタッフの皮膚を貫通する空気中の蒸発した医療流体もしくは煙霧質によって、スタッフを汚染し得るさらに、一部の薬剤は、保護手袋を貫通してスタッフを汚染することが知られている。
【０００３】
このような汚染物質への暴露は、長期的に、上述されたスタッフの血液または人体内に驚くほど高い濃度の薬剤をもたらし得る。たとえば、バイアル、シリンジ、注入システムなどの間の多くの移送ステップにより、針の実際の挿入中および容器たとえばバイアルからの後退中の汚染のリスクが封じ込められる必要があることが理解されている。薬剤の移送中に薬剤が移送デバイス内に封じ込められるのを確実にするために、閉鎖系移送デバイス（closed system transfer device：ＣＳＴＤ）が開発されている。
【０００４】
一般に、ＣＳＴＤは、シリンジなどの第１の流体容器への連結のためのアダプタ（以下ではシリンジアダプタと呼ばれる）と、バイアル、第２のシリンジ、または患者の循環系に対する流体アクセスを提供する導管への連結のための第２のアダプタ（以下ではバイアルアダプタと呼ばれる）とを含む。１つの装置では、医療従事者が、シリンジアダプタおよびバイアルアダプタを介してシリンジをバイアルに取り付けることによって、生理食塩水または何らかの他の再構成媒体を用いて粉末化または凍結乾燥された化合物を再構成することができる。従事者は、薬剤を再構成し、化合物をシリンジ中に吸引し、アダプタを分離し、次いで、患者への投与のために、シリンジアダプタおよびそれに取り付けられたシリンジを、ＩＶラインまたはシリンジのような患者送達デバイスに取り付ける。
【０００５】
ＣＳＴＤで使用され得る１つのタイプのシリンジアダプタは、雄または雌ルアーロック要素を備える近位端部を有し、雄または雌ルアーロック要素は、シリンジの対応する雌または雄ルアーロック要素と接合されるように配置されている。ルアーロック要素は、対応するルアーロック要素に対して螺入および螺出され得る。アダプタを通って延びる流体通路の分離をもたらし得る偶発的または不本意な部品の螺出を防止することが望ましい。そのような分離は、分離されたＣＳＴＤの近くの患者および／または任意の他の人物に対する深刻な汚染リスクを生じることがある。有害な医療化合物の投与における安全性の問題は、専門家組織および同様に政府機関によって、非常に重要であると認識されている問題である。
【発明の概要】
【発明が解決しようとする課題】
【０００６】
したがって、コネクタの適切な連結を促進し、シリンジと流体コネクタの不本意または偶発的な分離を回避することによって、シリンジからシリンジアダプタ、バイアルアダプタ、および第２の流体容器への流体移送を可能にするためのシリンジアダプタを提供することが望ましい。特に、シリンジとシリンジアダプタは、単純で直感的な連結活動によって一緒に連結できることが望ましい。しかしながら、シリンジアダプタからシリンジを分離するためのステップは、不本意または偶発的な分離を防止するために、より複雑になるはずである。
【課題を解決するための手段】
【０００７】
本発明の一形態において、流体容器との連結のためのアダプタは、遠位端部と近位端部と概ね円筒形の側壁とを有する外側ハウジングであって、概ね円筒形の側壁は遠位端部と近位端部との間に延びる、外側ハウジングと、外側ハウジング内に回転可能に挿入された本体、およびアダプタを流体容器に連結するように構成された本体から延びるコネクタを備える内側部材と、内側部材の本体と係合可能な第１のロッキング装置であって、第１の方向でハウジングに対して内側部材が回転するのを制限するように構成された第１のロッキング装置と、内側部材の本体と係合可能な第２のロッキング装置であって、第１の方向と第２の方向との両方でハウジングに対して内側部材が回転するのを制限するように構成された第２のロッキング装置とを備える。アダプタは、第１のロッキング装置および第２のロッキング装置が内側部材と係合されていない係合解除された状態と、第１のロッキング装置が内側部材に係合している部分的に係合された状態と、第２のロッキング装置が内側部材に係合している完全に係合された状態との間を移行可能である。
【０００８】
コネクタが係合解除された状態にあるとき、内側部材は、第１の方向と第２の方向との両方で回転可能であり得る。圧縮力を内側部材に加えることによって、内側部材は、延長位置（extended position）から引込んだ位置（recessed position）に移行可能であり得る。
【０００９】
アダプタは、内側部材を延長位置に維持する付勢部材をさらに備えることができる。付勢部材は、板ばねであり得る。
【００１０】
第１のロッキング装置は、ハウジングの側壁の内表面から内方へ延びる少なくとも１つの突起部と、側壁上の突起部に係合するように構成された内側部材の本体上の対応する突起部とを備えることができる。少なくとも１つの突起部は、ハウジングの側壁の内表面から内方へ延びることができ、内側部材の本体上の対応する突起部は、斜面および実質的に垂直の面を備える、一方向ラチェットとすることができる。
【００１１】
第１のロッキング装置は、ハウジングの側壁の対向周側面に配置された少なくとも２つの突起部と、内側部材の本体から延びる少なくとも２つの対応する突起部とであり得る。第２のロッキング装置は、ハウジングの側壁の一部分に連結され、内側部材の一部分に選択的に係合するように構成された少なくとも１つの内方へ延びるタブであり得る。第２のロッキング装置は、ハウジングの側壁の対向側に配置された少なくとも２つの内方へ延びるタブであり得る。少なくとも１つのタブは、押圧面であって、圧縮力を押圧面に加えることがタブを内方へ付勢して内側部材の一部分に係合させるように構成された押圧面であり得る。タブは、圧縮力を押圧面に加えることがフレキシブルジョイントに関して内方へタブを付勢するように、フレキシブルジョイントにおいてハウジングの側壁に連結され得る。第２のロッキング装置は、タブをハウジングの側壁に連結する梁を備えることができ、圧縮力を押圧面に加えることが、梁を内方へ歪めて、それにより少なくとも１つのタブを内側部材に向けて延ばす。第２のロッキング装置は、タブの対向側に連結された２つの梁を備えることができる。第２のロッキング装置は、内側部材から半径方向に延びる少なくとも１つの歯を備えることができ、歯は、少なくとも１つのタブに係合するように構成されている。
【００１２】
コネクタは、流体容器の一部分の内表面上の対応するねじ山に係合するように構成されたらせん状ねじ山を有する外表面を備えることができる。コネクタは、流体容器の対応するルアーコネクタを受容するように構成されたルアーコネクタであり得る。
【００１３】
内側部材は、外側部材に対して延長位置から引込んだ位置へ移行可能であってよく、内側部材は、延長位置にあるときに、係合解除された状態であり、内側部材は、引込んだ位置にあるときに、部分的に係合された状態および完全に係合された状態のうちの一方である。内側部材は、内側部材が引込んだ位置にあるとき、かつ第２のロッキング装置が内側部材の本体と係合されているときに、完全に係合された状態であり得る。
【００１４】
本発明のさらなる形態において、流体容器をアダプタに対して分離するための方法は、アダプタを提供するステップであって、アダプタは、遠位端部と近位端部と概ね円筒形の側壁とを有する外側ハウジングであって、概ね円筒形の側壁は遠位端部と近位端部との間に延びる、外側ハウジングと、外側ハウジング内に回転可能に挿入された本体、および本体から延びるコネクタを備える内側部材であって、コネクタは、流体容器と連結するように構成されている、内側部材と、内側部材の本体と係合可能な第１のロッキング装置であって、第１の方向でハウジングに対して内側部材が回転するのを制限するように構成された第１のロッキング装置と、内側部材の本体と係合可能な第２のロッキング装置であって、第１の方向と第２の方向との両方でハウジングに対して内側部材が回転するのを制限するように構成された第２のロッキング装置とを備える、ステップと、流体容器をアダプタに向けて軸方向に移動させるステップと、第２のロッキング装置に係合するステップと、流体容器を回転させて、アダプタの内側部材から流体容器を分離するステップとを含む。
【００１５】
本発明のこれらのおよび他の特徴および特性、さらに構造の関連要素の動作の方法および機能、部品の組み合わせ、ならびに製造の経済性が、添付図面を参照する以下の説明および添付の特許請求の範囲を考察することでより明確となり、これらのすべては本明細書の一部を形成し、同様の参照番号は様々な図において同様の部品を示す。しかしながら、図面は単に例示および説明を目的としており、本発明の限定の定義として意図されていないことを明確に理解されたい。本明細書および特許請求の範囲で使用される場合、単数形は、文脈で別段に明確に示さない限り複数の指示対象を含む。
【図面の簡単な説明】
【００１６】
【図１】本発明の形態による閉鎖系移送デバイスシステムの斜視図である。
【図２】本発明の形態によるアダプタの斜視図である。
【図３】図２のアダプタの断面図である。
【図４】図２のアダプタの内側部材の斜視図である。
【図５】図４の内側部材の断面図である。
【図６Ａ】本発明の別の形態による、内側部材を延長位置で有するアダプタの一部分の正面図である。
【図６Ｂ】内側部材を引込んだ位置で有する図６Ａのアダプタの正面図である。
【図７】図２のアダプタの一部分の正面図である。
【図８】内側部材がアダプタから取り外された図２のアダプタの上面図である。
【図９Ａ】初期位置における図２のアダプタの板ばねの正面図である。
【図９Ｂ】圧縮位置における図９Ａの板ばねの正面図である。
【図１０】本発明の別の形態による付勢部材の斜視図である。
【図１１】本発明の別の形態による付勢部材の斜視図である。
【図１２】明瞭にするためにアダプタハウジングの外側が透明になっている図２のアダプタの一部分の正面図である。
【図１３】図２のアダプタの一部分の断面図である。
【図１４】本発明の別の形態によるアダプタの一部分の斜視図である。
【図１５】本発明の別の形態によるアダプタの一部分の斜視図である。
【図１６】本発明の別の形態によるアダプタの断面図である。
【図１７】シリンジをアダプタから取り外すための図２のアダプタに連結された取外しツールの形態の斜視図である。
【図１８Ａ】本発明の別の形態による、アダプタからシリンジを取り外すための取外しツールの形態の斜視図である。
【図１８Ｂ】図１８Ａの取外しツールによってシリンジから分離されるように構成された本発明の別の形態によるアダプタの斜視図である。
【図１９】本発明の別の形態によるアダプタの一部分の斜視図である。
【図２０】本発明の別の形態によるアダプタの一部分の斜視図である。
【発明を実施するための形態】
【００１７】
図面は、一般に本開示のシステムおよび方法の好ましい非限定的形態を示す。説明はデバイスの種々の形態を提示しているが、それは本開示を何ら限定するものと解釈されるべきではない。さらに、本開示の形態の修正形態、概念、および用途は、図面および本明細書の説明によって包含されるが、それらを限定しないものとして、当業者により解釈されるべきである。
【００１８】
さらに、以下の説明では、用語「端部」、「上方」、「下方」、「右」、「左」、「垂直」、「水平」、「上部」、「底部」、「横」、「縦」、およびそれらの派生語は、それが図面で向きが示されるように本開示に関係するものとする。用語「近位」は、デバイスの中央または中央領域に向かう方向を示す。用語「遠位」は、デバイスの中央領域から離れるように延びる外方への方向を示す。しかしながら、本開示は、明確に反対に指定されない限り、種々の代替的な変形例およびステップ系列を想定し得ることを理解されたい。また、添付の図面で示されまた以下の明細書で説明される特定のデバイスおよびプロセスは、本開示の例示的形態に過ぎないことを理解されたい。したがって、本明細書に開示された形態に関係した特定の寸法および他の物理的特性は、限定するものとみなされるべきではない。開示の理解を促進するために、添付図面および説明はその好ましい形態を示し、それらから開示、その構造の様々な形態、動作の構成および方法、ならびに多くの利点が理解および評価され得る。
【００１９】
図１を参照すると、閉鎖系移送アセンブリ２が示されている。閉鎖系移送アセンブリ２は、シリンジアダプタ（以下ではアダプタ１０として参照される）に連結されるように構成された、シリンジ４またはＩＶラインなどの第１の流体源または容器を備える。シリンジ４は、雄ルアーコネクタ６を備え、雄ルアーコネクタ６は、アダプタ１０の対応する雌ルアーロックコネクタ１２に固着するように構成される。しかしながら、雌および雌ルアーロックフィッティングの装置が特定の流体送達用途のために逆にされ得ることは理解されよう。当技術分野で知られるような任意の他の連結インターフェースが、必要に応じてルアーフィッティングの代わりに追加されてもよい。シリンジ４の遠位端部はまた、コネクタ１２を取り囲む対応するねじ山１４に係合するように構成されたねじ山９を有する雄ルアーコネクタ６を取り囲むルアーロック８を備えることができる。より具体的には、アダプタ１０は、アダプタ１０は、シリンジ４との耐タンパ性連結インターフェースを作るように適合された部品のアセンブリである。アダプタ１０は、閉鎖系移送アセンブリ２の完全性を損なうおそれがあるアダプタ１０とシリンジ４の偶発的または不本意な分離を防止するように構成される。後で詳細に説明されるように、アダプタ１０は、ユーザが不本意にシリンジ４からアダプタ１０を係合解除するのを防止するための様々なロッキング装置を備える。ロッキング装置の結果として、アダプタ１０からシリンジ４を係合解除するために、ユーザは複合運動活動を行わなければならない。以下で参照されるように、複合運動活動は、所定の順序または系列で行われる２以上の別個の独立した運動を指す。たとえば、アダプタ１０の一形態では、複合運動活動は、少なくとも３つの別個の運動、すなわち、シリンジ４をアダプタ１０に向けて押圧すること、アダプタ１０の側壁上に位置するボタン、タブ、または表面を押圧すること、ならびに、アダプタ１０に対してシリンジ４を回転させてシリンジ４のルアーロック８上のねじ山９からコネクタ１２のねじ山１４を係合解除することを含む。所定のステップの系列は、本発明の範囲内で逆にされまたは異なる順序で行われてもよい。
【００２０】
図２および図３を参照すると、アダプタ１０は、遠位端部１８と、近位端部２０と、概ね円筒形の側壁２２とを有する外側ハウジング１６を備え、概ね円筒形の側壁２２は、遠位端部１８と近位端部２０との間に延びている。ハウジング１６は、外側ハウジング１６の近位端部２０と遠位端部１８との間に延びる（図３に示されている）流体通路２４を画定する。ハウジング１６は、医療グレードのプラスチックまたは金属を含む任意の適切な構造材料から形成され得る。任意選択で、ハウジング１６は、ハウジング１６およびアダプタ１０を保持または操作することをより容易にする様々な特徴を含むことができる。たとえば、ハウジング１６は、ユーザが保持するのにより快適な、より狭いグリップ部分２６を含むことができる。ハウジング１６はまた、ユーザにより保持されたときにハウジング１６がスリップまたは摺動しないように、テクスチャード加工された部分または表面（図示せず）を含んでもよい。ハウジング１６はまた、外側ハウジング１６の外観を改善するために、パターン、デザイン、ロゴなどの様々な美的特徴を含んでもよい。
【００２１】
図２および図３を引き続き参照すると、特定の形態では、ハウジング１６が、ハウジング１６の中を通って延び流体通路２４を形成する針カニューレ２５を含む。カニューレ２５は、その遠位端部に、医療バイアルなどの流体容器との流体連結を確立するための先端部を備えることができる。ハウジングはまた、セプタム（図示せず）またはシール装置を含むことができ、セプタムまたはシール装置は、針の先端部によって穿刺されることができ、ハウジング１６の内側部分にわたって延びる。使用中、針先端部およびカニューレ２５は、セプタムまたはシール装置を貫通して進んでハウジング１６の中を通る流体連結を確立する。セプタムまたはシール装置は、流体がハウジング１６を通過してアダプタ１０および／またはシリンジ４の他の要素を汚損することを防止するように構成され得る。
【００２２】
アダプタ１０は、ハウジング１６の近位端部２０に挿入された内側部材２８を備えることができる。たとえば、一形態では、内側部材２８は、ハウジング１６の近位端部２０の周りに延びる環状スリーブ３０に挿入され得る。後述するように、側壁２２の（図３に示されている）内表面３２は、内側部材２８に係合してその回転を制限するための様々な構造を備えることができる。内側部材２８は、ハウジング１６の側壁２２の内径ＩＤに概ね対応する外径ＯＤを有する実質的に円筒形の本体３４を備える。アダプタ１０はまた、時計周りなどの第１の方向Ａで内側部材２８が回るのを制限するように内側部材２８の本体３４と係合することができる、第１のロッキング装置３６と、第１の方向Ａと反時計周りなどの第２の方向Ｂとの両方で内側部材２８が回るのを制限するように内側部材２８の本体３４と係合することができる、第２のロッキング装置３８とを備える。
【００２３】
後により詳細に説明されるように、アダプタ１０は、３つの状態または位置の間で移行可能である。第１に、アダプタ１０は、第１のロッキング装置３６および第２のロッキング装置３８が内側部材２８と係合されていない、係合解除された状態になり得る。係合解除された状態では、内側部材２８は、静止した外側ハウジング１６に対して第１の方向Ａと第２の方向Ｂとの両方で自由に回転することができる。第２に、アダプタ１０は、部分的に係合された状態になり得る。部分的に係合された状態では、方向Ａの回転が実質的に防止されるように、第１のロッキング装置３６が内側部材２８に係合する。最後に、アダプタ１０は、完全に係合された状態または位置に移行することができ、完全に係合された状態または位置では、第２のロッキング装置３８が内側部材２８に係合して、それにより、第１の方向Ａまたは第２の方向Ｂのいずれでも内側部材２８が実質的に自由に回転するのを防止する。しかしながら、ロッキング装置３６、３８がハードストップに到達していない場合、または、ユーザが内側部材２８の回転を完全に防止するのに十分なほど強くはロッキング装置３６、３８を把持していない場合、何らかの回転が、部分的に係合された状態および完全に係合された状態で依然として発生することがあることに留意されたい。
【００２４】
図２〜図５を参照すると、内側部材２８の本体３４は実質的に円筒形の構造であるが、他の適切な形状が利用されてもよい。本体３４は、その近位端部にキャップ４０または上部を備えてよい。キャップ４０は、本体３４の近位端部の一部分をカバーし、ハウジング１６に挿入されると、ハウジング１６の近位端部２０の少なくとも一部分もカバーする。コネクタ１２は、本体３４のキャップ４０から延びており、流体通路２４がコネクタ１２の中を通って延びるように配置される。たとえば、（図３に示されている）カニューレ２５の近位端部は、アダプタ１０のハウジング１６を通る流体流を可能にするために、コネクタ１２の（図５に示されている）遠位端部４４内に挿入され得る。
【００２５】
コネクタ１２は、（図１に示されている）シリンジ４にアダプタ１０の内側部材２８を連結するための様々な構造を備える。上述したように、一形態では、コネクタ１２の外側壁が、それから延びるらせん状ねじ山１４を備える。ねじ山１４は、（図１に示されている）シリンジ４上の対応するねじ山９に係合するように構成される。たとえば、ユーザは、シリンジ４を方向Ａに捻ることによってシリンジ４をコネクタ１０に連結することができる。
【００２６】
特定の形態では、内側部材２８はまた、内側部材２８の本体３４とコネクタ１２との間に位置する台座４６または基部を備える。台座４６は、少なくとも１つの平坦部（flat）４７を備える。たとえば、台座４６は、台座４６の両側に対向する平坦部４７を備えることができる。後述するように、平坦部４７は、レンチなどの（図１７に示されている）取外しツール１００と連結されるように構成される。取外しツール１００は、内側部材２８がハウジング１６に対して回転するのを防止し、シリンジ４からアダプタ１０を取り外すことをより容易にする。
【００２７】
図７を参照すると、上述したように、内側部材２８は、アダプタ１０のハウジング１６の近位端部２０に挿入されるように構成される。任意選択で、ハウジング１６は、内側部材２８をハウジング１６内に維持するための構造を備えることができる。たとえば、アダプタ１０は、内側部材２８の一部分に係合するように構成されたスナップ嵌め機構４８を備えることができる。スナップ嵌め機構４８は、ハウジング１６の側壁２２の一部分から延びるレッジ５０またはリングを備えることができる。内側部材２８の本体３４上の対応するレッジ５２またはリングは、内側部材２８をハウジング１６内に維持するために、レッジ５０またはリングに接触するように構成される。特定の形態では、ハウジング１６の側壁２２上の窓５４が、いつスナップ嵌めが確立されるかをユーザが決定することを可能にする。
【００２８】
図６Ａおよび図６Ｂを参照すると、内側部材２８は、（図６Ａに示されている）延長位置から、内側部材２８が外側ハウジング１６内にさらに挿入される（図６Ｂに示されている）引込んだ位置へ移行可能であるように構成される。ユーザは、内側部材２８をハウジング１６に対して遠位方向Ｄに進めて、圧縮力を内側部材２８に加えることによって、内側部材２８を延長位置から引込んだ位置に移行する。後述するように、（図２および図３に示されている）第１のロッキング装置３６および第２のロッキング装置３８は、内側部材２８が延長位置にあるとき、それに係合するこができない。内側部材２８が引込んだ位置にあるとき、第１のロッキング装置３６および／または第２のロッキング装置３８は、内側部材２８に係合して、第１の方向Ａおよび／または第２の方向Ｂにおける外側ハウジング１６に対する内側部材２８の回転を制限することができる。
【００２９】
図３および図８を参照すると、アダプタ１０は、（図３に示されている）ハウジング１６と内側部材２８との間に連結された板ばね５６などの付勢部材をさらに備えることができる。板ばね５６は、（図９Ａに示されている）初期位置から（図９Ｂに示されている）圧縮位置に移動され得る２つ以上のフレキシブルアーム６２を備える。特定の形態では、板ばね５６は、単一の成形構造である。板ばね５６は、内側部材２８を通して一緒に連結される２つ以上の構成要素として成形されてもよい。板ばね５６は、内側部材２８と一体的に形成されてもよい。当業者には認識されるように、フレキシブルアーム６２によって形成されるリングの外径は、ばね５６が、初期位置から圧縮位置に圧縮されるに従って増大する。他の形態では、板ばね５６は、初期位置と圧縮位置との両方において一定の外径で構成されてもよい。板ばね５６は、ハウジング１６の側壁２２の一部分から延びる（図８に示されている）溝６０内に受容されるように構成された底部５８または脚部を備えることができる。図３を特に参照すると、板ばね５６は、外側ハウジング１６に対して近位方向Ｐで内側部材２８を付勢して、ユーザにより内側部材２８に加えられた圧縮力を打ち消すように構成される。したがって、圧縮力が内側部材２８に加えられないとき、板ばね５６は、内側部材２８を延長位置に維持する。前述されたように、内側部材２８が延長位置にあるとき、第１のロッキング装置３６および第２のロッキング装置３８は、内側部材２８に係合することができない。したがって、内側部材２８は、方向Ａと方向Ｂとの両方で自由に回転可能である。ユーザは、板ばね５６の付勢力に打ち勝つのに十分な圧縮力を遠位方向Ｄで内側部材２８に加えることによって、内側部材２８を引込んだ位置に移行することができる。
【００３０】
上述したように、本開示のアダプタ１０は、（図１に示されている）シリンジ４をアダプタ１０から分離するために複合運動または活動を必要とするように構成される。アダプタ１０の好ましい非限定的形態では、第１の作動運動または操作は、板ばね５６の付勢力を打ち消すのに十分な圧縮力で遠位方向Ｄに内側部材２８を押圧することであると考えられる。この活動は、たとえば、（図１に示されている）雄ルアーロック６をコネクタ１２の対応する雌ルアーロックフィッティングに押し込むときに行われ得る。
【００３１】
図１０および図１１を参照すると、板ばね５６の代替的形態が示されている。具体的には、図１０において、板ばね５６が第１のロッキング装置３６の一部分を含む。その場合、内側部材２８の本体３４は、第１のロッキング装置３６の構造に関わらず、様々な適用で使用できる一体的要素であり得る。後述するように、第１のロッキング装置３６は、ハウジング１６の側壁２２の対応する部分と相互作用して、内側部材２８の回転を制限する。図１１では、対向するフレキシブルジョイント６４がフレキシブルアーム６２を一緒に連結している板ばね５６の形態が示される。フレキシブルジョイント６４は、ばね５６の直径を実質的に増大することなく、ばね５６を圧縮位置に移行できることを確実にする。
【００３２】
アダプタ１０の外側ハウジング１６、内側部材２８、および板ばね５６の形態の構造を概ね説明したが、次に、第１の方向Ａおよび／または第２の方向Ｂにおける内側部材２８の回転を制限する第１のロッキング装置３６および第２のロッキング装置３８の構造を論じる。
【００３３】
図３および図１２を参照すると、上述されたように、内側部材２８が引込んだ位置にあるとき、第１のロッキング装置３６は、内側部材２８の本体３４の一部分に係合することができ、それにより、ユーザが第１の方向Ａで内側部材２８を回転させることを防止するが、第２の方向Ｂでの回転を可能にする。図１２を特に参照すると、特定の形態では、第１のロッキング装置３６は、ハウジング１６の側壁２２の内表面から内方へ延びる少なくとも１つの突起部６４を備える。内側部材２８の本体３４上の対応する突起部６６は、内側部材２８が引込んだ位置にあるとき、ハウジングの側壁１６上の突起部６４に接触するように構成される。突起部６４、６６は、対応する一方向ラチェット構造であり得る。たとえば、各突起部６４、６６は、斜面６８および垂直面７０を備えることができる。当業者には認識されるように、突起部６４、６６の垂直面７０は互いに係合して、方向Ａにおける内側部材の回転を防止する。内側部材２８が方向Ｂに回転されたとき、対応する突起部６４、６６の斜面６８が互いに対して摺動して、内側部材２８の移動または回転を可能にする。
【００３４】
突起部６６、６４は、内側部材２８の本体３４の周囲および側壁２２の内表面のあたりで様々な構成で配置され得る。たとえば、アダプタ１０は、ハウジング１６の内側壁２２から延びる２つの突起部６４と、内側部材２８の本体３４上の２つの対応する突起部６６とを備えることができる。突起部６４、６６は、内側部材２８および側壁２２の対向側に配置され得る。アダプタ１０は、側壁２２および内側部材２８に関する等距離点に置かれた４つ以上の突起部６４、６６を備えてもよい。さらに、側壁２２が、内側部材２８と異なる数の突起部６４を備えてもよい。たとえば、内側部材２８の一形態では、内側部材２８の本体３４は、その対向側に２つの突起部６４を備える。側壁２２は、４つ以上の突起部６６を備えてもよい。このようにして、ユーザは、突起部６４、６６の間の係合が確立される前である限り、内側部材２８を捻る必要がない。
【００３５】
図３および図１３を参照すると、内側部材２８が引込んだ位置にあるとき、第２のロッキング装置３８が内側部材２８に係合して、第１の方向Ａまたは第２の方向Ｂのいずれでも内側部材２８が回転するのを防止することができる。第２のロッキング装置３８は、ハウジング１６の側壁２２の一部分に連結され、内側部材２８の一部分に選択的に係合するように構成された少なくとも１つの内方へ延びるタブ７２を備える。特定の形態では、アダプタ１０は、ハウジング１６の両側に２つ以上のタブ７２を備える。任意選択で、特定の用途で必要とされたときに、追加の係合力を内側部材２８に付与するために、追加のタブ７２が、ハウジング１６の側壁２２の周りに配置されてもよい。加えて、アダプタ１０は、美的目的で、たとえば、より対称的な外観をアダプタ１０に与えるために、アダプタ１０に関して様々な模造ボタン（図示せず）または間隔を空けた表面を備えてもよい。ハウジング１６はまた、ハブ７２を隠してそれらをより目立たなくし、それによりアダプタ１０の外観を改善するように構造化されてもよい。
【００３６】
各タブ７２は、その外側に配置され、ユーザによって押圧されるように構成された、ボタン、スイングアーム、またはタブなどの押圧表面７４を備える。タブ７２はまた、内側部材２８の一部分に接触および係合するように構成された内表面７６を備える。ユーザは、各タブ７２の押圧表面７４に圧縮力を加えて、それにより、タブ７２を内側部材２８へ向けて内側方向に付勢する。たとえば、一形態では、タブ７２の押圧表面７６は、内側部材２８の本体３４の滑らかな表面に接触して、それと摩擦係合を形成するように構成される。タブ７２は、タブ７２と側壁２２との間に連結された１または複数の梁８０を介して側壁２２に連結される。たとえば、図１２および図１３に示されたアダプタ１０の形態は、タブ７２の両側に連結された２つの梁８０を備える。図１４に示されたアダプタ１０の形態は、タブ７２に連結された単一の梁８０を備える。ユーザは、タブ７２の押圧表面７４を押圧することができ、それにより、梁８０を内方へ歪めさせ、タブ７２の内表面７６を内側部材２８と接触させて、内側部材２８の回転を制限する。
【００３７】
図１５を参照すると、他の特定の形態では、タブ７２は、フレキシブルジョイント７８でハウジング１６の側壁２２に直接連結されたスイングタブとすることができる。圧縮力をタブ７２に加えることが、それを内方へジョイント７８に対して回転させ、内表面７６を内側部材２８に接触するようにする。
【００３８】
再び図１２および図１３を参照すると、内側部材２８は、タブ７２の内表面７６と内側部材２８との間の係合を強化、補強、または最適化するための様々な構造を備えることができる。たとえば、一形態では、内側部材２８は、本体３４のスカートまたは表面８４から延びる、少なくとも１つの半径方向に延びる歯８２などの突起部を備える。一形態では、いくつかの歯８２が、半径方向に延びる歯８２のリングを形成するように表面８４の周囲に配置され得る。タブ７２が内側部材２８に向けて内側方向に付勢されると、タブ７２の押圧表面７６が内側部材２８に係合する。より具体的には、押圧表面７６が、隣接する歯８２の間の領域で表面８４に係合することができ、それにより、ハウジング１６に対する内側部材２８の回転を制限または防止する干渉係合を形成する。
【００３９】
図１６を参照すると、好ましい非限定的形態では、アダプタ１０は、外側ハウジング１６内に挿入された膜ハウジング８６をさらに備える。膜ハウジング８６は、セプタムまたは膜（図示せず）を支持または保持する。セプタムまたは膜は、流体または気体がアダプタ１０の内部を通って大気に移動するのを防止する。膜ハウジング８６は、外側ハウジング１６内で移動することができる。１つの位置において、たとえば、アダプタ１０が相手コネクタまたは部品に連結されたときなどに、膜ハウジング８６は、内側部材２８の遠位端部に隣接し、板ばね５６によって部分的に取り囲まれる。この位置において、膜ハウジング８６は、内側部材２８が板ばね５６を付勢して延長位置から引込んだ位置に移行することを防止する。したがって、膜ハウジング８６はさらに、（図１６に図示されていない）第１のロッキング装置３６の一方向ラチェット構造、または第２のロッキング装置３８のタブ７２および押圧表面７６が、内側部材２８に接触および係合することを防止して、その回転を制限する。したがって、膜ハウジング８６が内側部材２８に隣接するとき、内側部材２８は、延長位置に保持され、方向Ａおよび方向Ｂに自由に回転する。したがって、膜ハウジング８６が、図１６に示された内側部材２８に隣接する位置にあるとき、コネクタ１２を（図１に示されている）シリンジ４から取り外すことが難しくなる。
【００４０】
閉鎖移送システムアセンブリ２およびアダプタ１０の構造について論じてきたが、次に、シリンジ４をアダプタ１０に連結し、シリンジ４をアダプタ１０から分離するためのステップを詳細に論じる。上述したように、アダプタ１０は、一連の直感的で容易な連結ステップを通してシリンジ４がアダプタ１０に連結できるように構成されている。アダプタ１０は、シリンジ４をアダプタ１０から取り外すための複合運動係合解除と呼ばれるステップが、より意図的なユーザによる行為を必要とするように構成されており、それにより、不本意または偶発的にユーザがシリンジ４をアダプタ１０から取り外すことを防止する。
【００４１】
図１〜図３を参照すると、シリンジ４をアダプタ１０に連結するために、ユーザは従来の手法でシリンジ４を把持する。ユーザは、シリンジ４の遠位部分をアダプタ１０のコネクタ１２と整合させて、コネクタ１２のらせん状ねじ山１４が、シリンジ４の雄ルアーロック６を取り囲むシールド８上の対応するねじ山９に接触するようにする。しかしながら、アダプタ１０は係合解除された位置にあるので、内側部材２８は、第１の方向Ａと第２の方向Ｂとの両方で自由に回転することに留意されたい。したがって、ユーザがコネクタ１２に対してシリンジ４を回そうとすると、内側部材２８も回転し、それらの間の連結を防止する。代わりに、ユーザは、板ばね５６の付勢力に打ち勝つのに十分な圧縮力で、遠位方向Ｄでコネクタ１２に対してシリンジ４を押圧しなければならない。十分な力が加えられると、内側部材２８は引込んだ位置に移行される。
【００４２】
引込んだ位置において、第１のロッキング装置３６の（図１２および図１３に示されている）突起部６４、６６が互いに接触させられる。より具体的には、内側部材２８が引込んだ位置になると、ユーザは、ハウジング１６に対して内側部材２８を少し回転させて、内側部材２８の突起部６６とハウジング１６から延びる突起部６４との間の接触および／または係合を確立することができる。第１のロッキング装置３６と内側部材２８との間の係合が確立されると、内側部材２８は、第１の方向Ａにさらに回転することを防止される。したがって、ユーザは、方向Ａでコネクタ１２に対してシリンジ４を回転させて、シリンジ４のねじ山９をコネクタ１２のらせん状ねじ山１４と係合させることができる。内側部材２８は、第１のロッキング装置３６と固定して係合されるので、シリンジ４を方向Ａに捻ることにより内側部材２８は回転しない。
【００４３】
シリンジ４が十分に強固に内側部材２８のコネクタ１２に連結されると、ユーザはシリンジ４を解放することができる。シリンジ４が解放されると、板ばね５６が内側部材２８を付勢して延長位置に戻す。延長位置において、内側部材２８およびそれに取り付けられたシリンジ４は、いずれの方向でもハウジング１６に対して自由に回転することができる。さらに、内側部材２８はシリンジ４の回転とともに回転するので、ユーザがシリンジ４を内側部材２８のコネクタ１２から取り外すことは、それが延長位置にあるときに、かなり困難または不可能となる。したがって、ユーザまたは患者が不本意にシリンジ４をアダプタ１０から取り外す可能性が、効果的に低減される。
【００４４】
シリンジ４をアダプタ１０から取り外すために、ユーザは、まずシリンジ４をアダプタ１０に向けて押して、上述されたのと同様に、内側部材２８を延長位置から引込んだ位置に移行させる。この行為は、第１の運動または操作と呼ばれる。具体的には、シリンジ４をコネクタ１２から分離するために、ユーザは方向Ｂにシリンジ４を回転しなければならない。しかしながら、アダプタ１０が、それがＡ方向に回転できない部分的に係合された位置にあるとき、方向Ｂに回転するのが自由であり、すなわち、シリンジ４をコネクタ１２から取り外すことが難しいまたは防止されることを意味する。したがって、ユーザは、第２のロッキング装置３８のタブ７２の押圧表面７４を押圧しなければならない。タブ７２を押圧することは、第２の運動または操作と呼ばれる。押圧表面７４を押圧することは、タブ７２を内側部材２８に接触および係合させる。第２のロッキング装置３８は、方向Ａまたは方向Ｂのいずれでも内側部材２８が回転するのを防止する。この位置において、内側部材２８が方向Ｂに回転するのを防止されるので、ユーザは、シリンジ４をＢ方向に容易に捻って、それをコネクタ１２から螺出することができる。しかしながら、第２のロッキング装置３８は、内側部材２８が延長位置にあるときに係合されることができない。コネクタ１２からシリンジ４を螺出することは、操作の第３の運動と呼ばれる。
【００４５】
図１７を参照すると、本発明の別の形態において、（図１に示されている）シリンジ４をアダプタ１０の内側部材２８から取り外すための取外しツール１００が示されている。取外しツール１００は、内側部材２８の台座４６の対向する平坦部４７に接触するように構成されたＵ字形ジョー１１０を備える。取外しツール１００が平坦部４７に連結されているとき、内側部材２８は、それが延長位置にあるときでも回転するのを防止される。より簡単には、取外しツール１００は内側部材２８を所定の位置に保持する。したがって、ユーザは、（図３に示されている）ロッキング装置３６、３８のいずれかに係合するために内側部材２８を操作する必要なく、シリンジ４をアダプタ１０から容易に取り外すことができる。有利には、取外しツール１００は、ユーザが（図１に示されている）シリンジ４をアダプタ１０から頻繁に分離しなければならない場合、またはユーザが有毒物質に接触するのを回避するために厚手の手袋を着用しなければならない状況において使用され得る。そのような場合、厚手の手袋により、シリンジ４をアダプタ１０から取り外すための本明細書に説明されている複合運動活動を行うことが、定期的に行うには難しすぎることがある。
【００４６】
図１８Ａを参照すると、取外しツール１００の別の形態が示されている。取外しツール１００は、柄１１２を備え、柄１１２は、その遠位端部から延びる１または複数の実質的に直線状の脚部１１４を有する。脚部１１４は、実質的に円形の断面を有し、（図１８Ｂに示されている）対応する孔９０に挿入されるように構成され、孔９０は、対応する断面を有し、内側部材２８のキャップ４０から内方へ延びる。ユーザは、取外しツール１００の脚部１１４を内側部材２８の対応する孔に挿入する。（図１に示されている）シリンジ４をアダプタ１０から取り外すとき、ユーザは、取外しツール１００および内側部材２８が回転するのを防止するために十分な力で、取外しツール１００の柄１１２を保持する。このようにして、孔９０は、取外しツール１００を内側部材２８に係合させる構造または機構を孔９０が提供するという点で、上述された台座と同様に機能する。
【００４７】
図１９および図２０を参照すると、グリップハウジング１６に対する内側部材２８の回転を防止するための構造を有するアダプタ１０の追加の形態が示されている。図１９を特に参照すると、１または複数のウイング９２などの把持表面が、内側部材２８のキャップ４０の遠位表面から延び得る。（図１に示されている）シリンジ４を内側部材２８から分離するとき、ユーザは、内側部材２８が回転するのを防止するために十分な力で、片手を用いてウイング９２を把持することができる。他の特定の形態では、把持表面は、当技術分野で知られているような、隆起したリッジ、タブ、親指溝、または他の突起部とすることができる。図１９に示されたウイング９２のような把持表面は、特定の形状の流体源またはシリンジに関してユーザが保持するのがより容易であり、他の形態に関連して上述された第２のロッキング装置３８のタブ７２の代替形態を提供することができる。
【００４８】
図２０を特に参照すると、ハウジング１０はまた、内側部材２８に隣接する部分のあたりに延びる変形可能な部分を含むことができる。変形可能部分９４は、内側部材２８に対して押圧されて、その回転を制限することができる。変形可能部分９４は、ユーザによって容易に把持できる湾曲を有する引込んだ押圧部分９４を含むことができる。十分な圧搾力が押圧表面７６に加えられると、ハウジング１６の変形可能部分９４が内側部材２８に対して付勢されて、その回転を防止する。特定の形態では、ハウジング１６の変形可能部分９４は、押圧表面９６に隣接するスロット９８も含むことができる。スロット９８は、ハウジング１６の変形可能部分９４と内側部材２８との間の接触の領域を限定することにより、それらの間の分離力を最小限にする。ハウジング１６の変形可能部分９４は、さらに別の取外しオプションをユーザのために提供する。
【００４９】
本発明は、現在のところ最も実際的で好ましい形態と考えられるものに基づいて例示の目的で詳細に説明されているが、そのような詳細はその目的のためのものに過ぎず、本発明は、開示された形態に限定されず、それどころか、添付の特許請求の範囲の趣旨および範囲内の修正形態および均等な装置を含むように意図されていることを理解されたい。たとえば、本発明は、可能な限り、任意の形態の１または複数の特徴が任意の他の形態の１または複数の特徴と組み合わせられることを企図していることを理解されたい。
【図１】
2018161506.tif 000003
【図２】
2018161506.tif 000004
【図３】
2018161506.tif 000005
【図４】
2018161506.tif 000006
【図５】
2018161506.tif 000007
【図６Ａ】
2018161506.tif 000008
【図６Ｂ】
2018161506.tif 000009
【図７】
2018161506.tif 000010
【図８】
2018161506.tif 000011
【図９Ａ】
2018161506.tif 000012
【図９Ｂ】
2018161506.tif 000013
【図１０】
2018161506.tif 000014
【図１１】
2018161506.tif 000015
【図１２】
2018161506.tif 000016
【図１３】
2018161506.tif 000017
【図１４】
2018161506.tif 000018
【図１５】
2018161506.tif 000019
【図１６】
2018161506.tif 000020
【図１７】
2018161506.tif 000021
【図１８Ａ】
2018161506.tif 000022
【図１８Ｂ】
2018161506.tif 000023
【図１９】
2018161506.tif 000024
【図２０】
2018161506.tif 000025